(57)【要約】【課題】インバータの温度を直接検出してインバータを良好に冷却できるようにする。【解決手段】筐体１と、この筐体１内に設けられ、放熱フィン１５を有するインバータ１４と、筐体１内に設けられ、内部空気を排出する冷却ファン１１と、インバータ１４に設けられ、該インバータ１４の温度を直接検出する温度検出センサ２１と、この温度検出センサ２１の検出温度に基づいて冷却ファン１１の回転をオン、オフ制御する制御部６とを具備する。【選択図】      図１
2010178427.tif 000002
【特許請求の範囲】
【請求項１】
筐体と、
この筐体内に設けられ、放熱部を有するインバータと、
前記筐体内に設けられ、内部空気を排出する冷却ファンと、
前記インバータに設けられ、該インバータの温度を直接検出する温度検出部と、
この温度検出部の検出温度に基づいて前記冷却ファンの回転をオン、オフ制御する制御部と
を具備することを特徴とする制御盤装置。
【請求項２】
前記制御部は、前記温度検出部の検出温度が第１の温度になると、前記冷却ファンを回転させ、前記第１の温度より低い第２の温度になると、前記冷却ファンの回転を停止させることを特徴とする請求項１記載の制御盤装置。
【請求項３】
前記インバータは複数台配設され、これら複数のインバータにより複数台のポンプを駆動することを特徴とする請求項１記載の制御盤装置。
【請求項４】
前記インバータの放熱部は放熱フィンであることを特徴とする請求項１記載の制御盤装置。
【発明の詳細な説明】
【技術分野】
【０００１】
本発明は、例えば、ポンプ駆動用のインバータを制御する制御盤装置に関する。
【背景技術】
【０００２】
この種の制御盤は、インバータからの発熱による温度上昇を抑えるためにインバータの放熱フィンを制御盤の外部にでるように設置することが一般的に行なわれている。
【０００３】
但し、屋外に設置される制御盤においては、インバータの放熱フィンを風雨から保護するため、筐体内に設置されるが、十分な冷却効率を得るためには筐体内に冷却ファンを設置して排気するようにしている。
【０００４】
筐体内にはサーモスタットが設けられ、このサーモスタットが検出する筐体内の温度に基づいて冷却ファンの回転をオン、オフ制御している（例えば、特許文献１参照。）。
【特許文献１】特開２００３−２４５８４２号公報。
【発明の開示】
【発明が解決しようとする課題】
【０００５】
しかしながら、従来においては、インバータの温度を直接検出するものではなく、筐体内に設けたサーモスタットによって間接的に検出していたため、インバータの温度を正確に検出することができず、冷却ファンの回転のオン、オフ制御のタイミングに遅れが生じてしまう。
【０００６】
このため、インバータの温度が上限温度を超えてから冷却ファンが回転されたり、インバータが充分低下されないうちに冷却ファンの回転が停止され、インバータが温度異常となってインバータ保護が動作してしまう虞があった。
【０００７】
本発明は上記事情に着目してなされたもので、その目的とするところは、インバータの温度を直接検出し、インバータを良好に冷却できるようにした制御盤装置を提供することにある。
【課題を解決するための手段】
【０００８】
上記課題を解決するため、請求項１記載の発明は、筐体と、この筐体内に設けられ、放熱部を有するインバータと、前記筐体内に設けられ、内部空気を排出する冷却ファンと、前記インバータに設けられ、該インバータの温度を直接検出する温度検出部と、この温度検出部の検出温度に基づいて前記冷却ファンの回転をオン、オフ制御する制御部とを具備することを特徴とする。
【発明の効果】
【０００９】
本発明によれば、インバータの温度を直接検出してインバータを良好に冷却できる。
【発明を実施するための最良の形態】
【００１０】
以下、本発明の実施の形態を図面を参照して詳細に説明する。  
図１は、本発明の一実施の形態である制御盤装置を示す正面図で、図２はその側面図である。
【００１１】
制御盤装置は筐体１を有し、この筐体１内は上下に仕切られている。筐体１内の下部側には複数台の駆動モータ２と、これら駆動モータ２によって駆動される複数台の給水ポンプ３が配設されている。筐体１内の上部側には駆動モータ２に電気的に接続される複数台のインバータ装置５と、給水ポンプ３の運転を制御する制御部６が配設されている。
【００１２】
また、筐体１の一側面部には吸込口７が設けられ、他側面部には排気口８が設けられている。排気口８には駆動モータ１０によって回転駆動される冷却ファン１１が設けられている。冷却ファン１１の回転駆動によって筐体１内の空気が矢印で示すように排気口８から外部に排気されて筐体１の内部が冷却されるようになっている。
【００１３】
図３は、インバータ装置５を示すもので、１３はそのケーシングである。ケーシング１３内には、インバータ１４とその放熱部としての放熱フィン１５が設けられている。ケーシング１３の下部側には吸込口１７が設けられ、上面部側には排気口１８が設けられている。排気口１８には冷却ファン１９が設けられている。冷却ファン１９の回転によって筐体１内の空気が吸込口１７から矢印で示すように吸引されて上昇し、放熱フィン１５を冷却したのち排気口１８から排気される。
【００１４】
尚、筐体１内にインバータ装置５が一台のみ設けられるような場合には、その内部に備えられる冷却ファン１９の回転だけでインバータ１４を冷却してもさほど問題はないが、インバータ装置５が複数台配設されて動作する場合には、筐体１内に熱気がたまり、インバータ１４の冷却ファン１９だけでは充分に冷却できなくなる。このため、上記したように筐体１内に冷却ファン１１を配設し、この冷却ファン１１により筐体１内の熱気を排気してインバータ１４を良好に冷却できるようにしている。
【００１５】
また、インバータ１４にはインバータ自体の温度を検出する温度検出部としての温度検出センサ２１が設けられている。この温度検出センサ２１は、図４に示すように送信回路を介して上記した制御部６に接続され、制御部６には制御回路を介して冷却ファン１１の駆動モータ１０が接続されている。
【００１６】
制御部６は、温度検出センサ２１の検出温度に基づいて上記した筐体１内の冷却ファン１１の駆動モータ１０をオン、オフしてインバータ１４の温度が設定温度範囲内になるように制御するようになっている。
【００１７】
上記した給水ポンプ３の運転時には、インバータ１４が発熱するが、このインバータ１４の温度は、温度検出センサ２１によって直接検出される。この温度検出センサ２１の検出温度情報は送信回路を介して制御部６に送信され、検出温度が第１の温度である上限温度になると、駆動モータ１０を動作させて冷却ファン１１を回転駆動する。この冷却ファン１１の回転駆動により、筐体１内の空気が吸引されて排気口８から外部に排気される。これにより、筐体１内の温度が低下されてインバータ１４が冷却される。この冷却により、インバータ１４の温度が上記した第１の温度よりも低い第２の温度である下限温度になると、駆動モータ１０の運転が停止されて冷却ファン１１の回転駆動が停止される。
【００１８】
このように、この実施の形態によれば、インバータ１４に温度検出センサ２１を設け、この温度検出センサ２１によってインバータ１４の温度を直接検出するため、従来のようにサーモスタットによってインバータ１４の温度を間接的に検出する場合と比較してインバータ１４の温度を正確に検出することができ、冷却ファン１１の回転のオン、オフ制御のタイミングに遅れを生じてしまうことがない。
【００１９】
従って、インバータ１４が過熱状態になる前に冷却ファン１１を回転させることができ、また、インバータ１４が充分に冷却されてから冷却ファン１１の回転を停止させることができ、インバータ１４を良好に冷却することが可能となる。
【００２０】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００２１】
【図１】本発明の一実施の形態である制御盤装置を示す正面図。
【図２】図１の制御盤装置を示す側面図。
【図３】図１のインバータ装置を示す構成図。
【図４】図１の冷却ファンの駆動制御系を示す図。
【符号の説明】
【００２２】
１…筐体、３…ポンプ、６…制御部、１１…冷却ファン、１４…インバータ、１５…放熱フィン（放熱部）、２１…温度検出センサ（温度検出部）。
【図１】
2010178427.tif 000003
【図２】
2010178427.tif 000004
【図３】
2010178427.tif 000005
【図４】
2010178427.tif 000006